(57)【要約】【目的】可撓膜を傾斜させることなく圧力調整器を組み立てられるようにし、もってガス流量の安定化を図る。【構成】圧力調整器において、可撓膜１８に取り付けられている調整桿２１と、圧力調整室内にて軸支されているてこ部材２５との連結部２３のてこ部材側に、てこ部材２５の長手方向に伸びる平坦面２４を形成し、てこ部材２５と調整桿２１とが連結部２３において線状又は面状に接触するように構成されている圧力調整器におけるガス流量安定化機構。【選択図】        図１
2005031762.tif 000002
【特許請求の範囲】
【請求項１】
可撓膜によって一面が閉塞された圧力調整室を有し、同室へのガス流入口を開閉するてこ部材と可撓膜とが調整桿によって連結されており、同室内圧の上昇により可撓膜が調整ばねに抗して膨張するとガス流入口を閉じて、ガス流出により同室内圧が下降し、可撓膜が収縮するとガス流入口を開く構成を有する圧力調整器において、
可撓膜に取り付けられている調整桿と、圧力調整室内にて軸支されているてこ部材との連結部のてこ部材側に、てこ部材の長手方向に伸びる平坦面を形成し、てこ部材と調整桿とが連結部において線状又は面状に接触するように構成されていることを特徴とする圧力調整器におけるガス流量安定化機構。
【請求項２】
調整桿は、可撓膜及び調整ばね等から成る可撓膜組立体を圧力調整器に組み付ける際に、可撓膜組立体を下から支える支持体として機能するものであり、そのため下部を延長脚として圧力調整室の底に安定的に自立可能な形態を有している請求項１記載の圧力調整器におけるガス流量安定化機構。
【発明の詳細な説明】
【０００１】
【発明の属する技術分野】
本発明は、可撓膜によって一面が閉塞された圧力調整室を有し、同室へのガス流入口を開閉するてこ部材と可撓膜とが調整桿によって連結されており、同室内圧の上昇により可撓膜が調整ばねに抗して膨張するとガス流入口を閉じて、ガス流出により同室内圧が下降し、可撓膜が収縮するとガス流入口を開く構成を有する圧力調整器におけるガス流量安定化機構に関するものである。
【０００２】
【従来の技術】
減圧器又はガバナー等とも称される圧力調整器は、小型圧力容器のガスをバーナー等へ供給するために調整する機能を有し、通常、ダイヤフラムと称される可撓膜に調整ばねを作用させてガス圧力に対抗させ、圧力調整室の内圧が上昇すると流入口を閉じ、下降すると流入口を開く構成を有している。図４は従来の圧力調整器の要部の断面を示しており、ｃはガス流入口、ｄは圧力調整室、ｅはガス流出口、ｆは可撓膜、ｇはばね受け、ｈは調整ばね、ｉは可撓膜側に設けた調整桿であって連結口ｊを有し、ガス流入口ｃを開閉可能なように軸支されているてこ部材ｒの先端部と連結されている。
【０００３】
圧力調整室ｄには支柱ｌが設けられており、メーカーにおける組み立ての際、可撓膜ｆとばね受けｇ及び調整桿ｉとから成るアセンブリーを支持し、支柱ｌによって調整ばねｈの付勢力も受け支えるため、図４において左側に向かって傾斜する状態となる。その結果、調整ばねｈも傾いた状態で組み込まれる傾向となる。また、調整桿ｉの連結口ｊは長さが短く、しかも面取りがなされており、てこ部材ｒの先端部とは点状の接触となるため、調整桿ｉの傾斜の矯正には役立てることができない。このように調整ばねが傾斜した状態で組み込まれている場合、圧力調整器はてこ部材ｋを開閉動作させるばね強さが安定を欠くことになり、このことはガス流量のばらつきを生じさせる原因となる。
【０００４】
【発明が解決しようとする課題】
本発明は前記の点に着目してなされたもので、その課題は、可撓膜を傾斜させることなく圧力調整器を組み立てられるようにすることであり、それによってガス流量の安定化を図ることである。また本発明の他の課題は、調整桿とてこ部材との連結部における接触を線状又は面状とすることにより、圧力調整器を正確かつ安定に組み立てられるようにすることである。
【０００５】
【課題を解決するための手段】
前記課題を解決するため本発明は、可撓膜によって一面が閉塞された圧力調整室を有し、同室へのガス流入口を開閉するてこ部材と可撓膜とが調整桿によって連結されており、同室内圧の上昇により可撓膜が調整ばねに抗して膨張するとガス流入口を閉じて、ガス流出により同室内圧が下降し、可撓膜が収縮するとガス流入口を開く構成を有する圧力調整器において、可撓膜に取り付けられている調整桿と、圧力調整室内にて軸支されているてこ部材との連結部のてこ部材側に、てこ部材の長手方向に伸びる平坦面を形成し、てこ部材と調整桿とが連結部において線状又は面状に接触するように構成するという手段を講じたものである。
【０００６】
本発明における圧力調整器の基本的構成は在来のものと同様で良く、小型ガス容器から１次ガス圧で噴出する生ガスがガス流入口から流入する圧力調整室を有し、その一面を可撓膜で閉塞し、１次ガス圧の増減に応じて膨張収縮する可撓膜の動きで、ガス流入口を開閉するてこ部材を連動させ、１次ガス圧をほぼ一定の２次圧に減圧して下流に供給する。てこ部材は、可撓膜側の調整桿との連結部が力点、ガス流入口の開閉弁部が作用点となり、てこ揺動を行なう（図３参照）。
【０００７】
上記の構成を有している圧力調整器において、調整桿とてこ部材の連結部のてこ部材側に、てこ部材の長手方向に伸びる平坦面を形成する。この平坦面によって、てこ部材と調整桿とが連結部において線状、又は面状、より適切には帯状に接触するように構成される。平坦面はてこ部材の長手方向に伸びているため、平坦面の長さにわたる長さがてこ部材との接触長さとなり、その結果、てこ部材の先端部と平坦面の線状又は面状の接触が最も安定な状態となり、このとき調整桿が垂直姿勢を取るものとすれば、それに直交する可撓膜は水平姿勢を取ることになり、傾斜が防止される。
【０００８】
また調整桿には、可撓膜及び調整ばね等から成る可撓膜組立体を組み立てる際の支持体としての機能を具備させることができる。そのためには、調整桿の下部を延長して脚とし、圧力調整室の底に安定的に自立可能な形態を有するものとする。調整桿は可撓膜の中心に位置しており、その延長脚で可撓膜組立体を下から支えられるため、可撓膜を、従来の突起ｌで支えた場合のように傾斜させることなく、水平に支持することができる。可撓幕は、傾斜しないので、調整ばねも傾かず、ひいては圧力調整済みガスの流量の安定化を図ることができる。
【０００９】
【発明の実施の形態】
以下図示の実施の形態に基いて本発明をより詳細に説明する。図１は、図４に示したのと同様の構成を有する圧力調整器１０の断面を示しており、１１は交換式小型ガス容器のノズル、１２はその圧力調整器への接続のための接続口、１３は逆止弁であり、常閉ばね１４によって閉じられ、ノズル１１により降り開かれる。１５はガス流入口、１６は減圧室若しくは圧力調整室、１７はガス流出口を示す。
【００１０】
圧力調整室１６は、可撓膜１８によって一面が閉塞されており、可撓膜１８は、ゴム等によって形成されており、外面にばね受け１９を一体に有し、周縁部にてキャップ２０により固定される。一方、可撓膜１８には、中心部分に調整桿２１が設けられており、またばね受け１９とキャップ２０との間に介在させた調整ばね２２の弾力が作用する。
【００１１】
調整桿２１は、圧力調整室側に配置される部分に貫通口状の連結部２２を有し、さらにその連結部２３には、平坦面２４が形成されている（図２参照）。この平坦面２４は、圧力調整室内にて揺動可能に軸支されている、てこ部材２５の先端部の方向に細長く伸びる形態を有し、そのためてこ部材２５の先端部２６と平坦面２４とは線状に接触する（図３参照）。
【００１２】
例示の調整桿２１は下部に延長脚２７を有しており、延長脚２７は、下部で幅広くかつ肉厚く安定的に自立可能な形態をとなっている（図２参照）。２８はてこ部材２５の支軸、２９は同じく弁部材を示す。なお、従来の支柱ｌは除去しなければならない。
【００１３】
このような構成を有する圧力調整器１０を組み立てるには、支軸２８により揺動可能になっているてこ部材２５の先端部２６が調整桿２１の連結部２３に収まるようにして、てこ部材２５と調整桿２１を連結状態とし、調整桿２１の延長脚下端２７ａを圧力調整室下面１６ａに置く。調整桿２１には可撓膜１８がばね受け１９とともに、予めおねじ部３１へのナット３２の螺合によって一体的に組み付けられているが、この可撓膜アセンブリーは、圧力調整室下面１６ａに自立する調整桿２１によって水平に保持され、従来のように支柱ｌによって傾斜することがない。
【００１４】
従って、調整ばね２２も傾くことなくセットされるので、ばね強さが安定し、ガス流量にばらつきを生じることが防止される。また、可撓膜アセンブリーが、自立する調整桿２１によって水平に保持されるので、組み立てが容易となる。なお、キャップ２０は最後に取り付けるが傾斜しないことは明らかであろう。
【００１５】
ガス容器を接続すると、１次圧力でガスがガス流入口１５より圧力調整室１６に流入する。図３に想像線で描かれた状態である。ガスは、その圧力と調整ばね２２の作用を受けている可撓膜アセンブリーで覆われた圧力調整室１６の内圧とが釣合うまで流入し、釣り合った時点で閉弁し、ガスの流入が止まる。この閉弁時に、調整桿２１の平坦面２４と、てこ部材２５の先端部２６とが線状に接触しているため、可撓膜１８も傾斜状態とならず、可撓膜１８の作動の安定性向上が図れることになり、ガス流量を不安定化させることがない。
【００１６】
【発明の効果】
本発明は以上の如く構成されかつ作用するものであるから、可撓膜を傾斜させることなく圧力調整器を組み立てられ、かつまた完成した圧力調整器の作動も従来になく安定なものであるので、これらによってガス流量の安定化が図られるとともに、調整桿とてこ部材との連結部を線状又は面状とし、かつまた、調整桿を自立可能とすることにより圧力調整器を正確にしかも安定して組み立てることができるという効果を奏する。
【図面の簡単な説明】
【図１】本発明に係る圧力調整器におけるガス流量安定化機構の実施形態の１を示す縦断面図。
【図２】（ａ）同上機構における調整桿の正面図。
（ｂ）同じく側面図。
【図３】本発明機構における作用説明図。
【図４】従来の圧力調整器の要部断面図。
【図５】（ａ）従来の調整桿の正面図。
（ｂ）同じく側面図。
【符号の説明】
１０  圧力調整器
１５  ガス流入口
１６  圧力調整室
１７  ガス流出口
１８  可撓膜
２１  調整桿
２２  調整ばね
２３  連結部
２４  平坦面
２５  てこ部材
２６  先端部
２７  延長脚
２８  支軸
２９  弁部材
【図１】
2005031762.tif 000003
【図２】
2005031762.tif 000004
【図３】
2005031762.tif 000005
【図４】
2005031762.tif 000006
【図５】
2005031762.tif 000007